(57)【要約】【課題】簡単な構造でキュー本体の両端で生じる振幅とショットのバラツキとを抑え、撞いた力を球に効果的に伝えて安定したショットが望めるビリヤードキューを提供する。【解決手段】バット１４とシャフト１２とを接続してなりバット１４の後端側に第１錘２０を取り付けてウエイトバランスを調整するビリヤードキューであって、シャフト１２と、このシャフト１２に接続して通常のプレイキューより全長を所定量短くするバット１４と、この短くしたバット１４に取り付けられて後端の第１錘２０より前方側に設置する新たな重量調節機構３０とを備える。この重量調節機構３０は、バット１４を後端の第１錘２０より離れた前方側で切断し、この分割した一端に雄ネジ３２と他端に雌ネジ３４とを備えて棒状に接続するとともに、雄ネジ３２に少なくとも１つ以上挿入して雌ネジ３４との螺合により挟侍する第２錘３６を設ける。【選択図】図１
2005287560.tif 000002
【特許請求の範囲】
【請求項１】
バットとシャフトとを接続してなり前記バットの後端側に第１錘を取り付けてウエイトバランスを調整するビリヤードキューにおいて、
前記シャフトと、
前記シャフトに接続して通常のプレイキューより全長を所定量短くするバットと、
前記短くしたバットに取り付けられて前記後端の第１錘より前方側に設置する新たな重量調節機構とを備えたことを特徴とするビリヤードキュー。
【請求項２】
前記重量調節機構は、前記バットを前記後端の第１錘より前方側で切断し、この分割した一端に雄ネジと他端に雌ネジとを備えて各々螺合して棒状に接続するとともに、前記雄ネジに少なくとも１つ以上挿入して前記雌ネジとの螺合により挟侍する第２錘を設けたことを特徴とするビリヤードキュー。
【発明の詳細な説明】
【技術分野】
【０００１】
本発明は、ビリヤードキューに係り、より詳細には、ビリヤードの競技中に通常用いるプレイキュー以外にジャンプキューまたはブレイクキュー等の特別な用途で使用する専用のビリヤードキューに関する。
【背景技術】
【０００２】
従来、ビリヤードキューは、ビリヤードの競技中に通常用いるプレイキュー以外に、ジャンプキューまたはブレイクキュー等の特別な用途で使用する専用のビリヤードキューが知られている。このような専用キューは、通常のプレイ時に使うプレイキューと外観自体はほぼ同じだが、用途の違いを考えて、例えば、タップの硬さや形状、キューの特質（硬さ、バランスや重さの違い）を持つように様々な仕様に調節している（例えば、特許文献１参照。）。また、専用キューでは、特に、各プレーヤに合わせて特性を調節しつつキュー全体の重さに対する先端から後端までのウエイト（重心）バランスを如何に調節するかが重要になる。一般的には、キュー内に錘を内臓して調節しているが、内蔵する錘の量または内臓箇所を各プレーヤに合わせて適宜調節することが最も重要とされる。
【特許文献１】実開平２−９８９７９号公報  前者の方法による例を、図７および図８にて説明する。図７は、このような重心バランスを調節する最も代表的な従来のビリヤードキューを示す構成図である。また、図８は、図７に示したビリヤードキューの特性を示す図である。
【０００３】
図７に示すように、従来のビリヤードキューは、バット１０４とシャフト１０２との端部を接合部材１０６により接合して棒状に形成する本体１００を備え、このバット１０４の後端側中心に穴１０４ａを穿設し、この穴１０４ａ内にウエイトバランスを後端で調節できる錘１１０を備えている。この錘１１０は、ネジ形状を有しており、バット１０４後端の穴１０４ａから挿入して内部に螺合させることで、本体１００全体のウエイトバランスを調節している。また、接合部材１０６は、バット１０４及びシャフト１０２を接合するお互いの端部に設けられ、一端（図７ではバット１０４側）に雄ネジ１０６ａと、他端（図７ではシャフト１０２側）に雌ネジ１０６ｂとを各々備えている。
【０００４】
このような構成からなる従来のビリヤードキューを用いて、例えば、ブレイクショット（競技の最初に撞く、ラックを崩すショット）を行った場合、通常、図８に示すように、プレーヤ１がキュー本体１００により撞いた球２は勢いによって台４上面の球撞点ａから少し浮いた状態で飛び出し、第１着地点ｂ、第２着地点ｃ、及び第３着地点ｄのように数回バウンドしながら狙った的球に向かって撞き出される。この際、本体１００は、先端から後端までのウエイトバランスをプレーヤ１に合わせて適切に調節していないと、ミスショットの原因になる。そこで、従来のビリヤードキューは、本体１００の後端に設けた錘１１０（図７参照）を例えば、ネジの長さまたはネジを形成するジュラルミン或いはステンレスなどの材質を変える（重さを変える）ことで良好な重心位置に変えていた。
【０００５】
しかしながら、この従来のビリヤードキューでは、例えば、球撞点ａにおいてロボットにより同条件で複数回ショットを行った場合、第１着地点ｂで球２の着地点にバラツキが生ずることを確認できた。この際、台４上面には、図８に示したように、第１着地点ｂにカーボン紙６を貼設し、球２の着地痕６ａを検出してバラツキを確認した。これにより従来のビリヤードキューでは、第１着地点ｂにおいて比較的広い範囲Ｂに着地痕６ａが点在することを検出できた。これはキュー本体１００により球２を撞いた時、図８に示したプレーヤ１が把持する本体１００の先端と後端との両端で振幅（振動）が生じてしまい、この振幅によってショットの乱れが生じることが分かってきた。
【発明の開示】
【発明が解決しようとする課題】
【０００６】
このように従来のビリヤードキューでは、図８に示すように、球２を撞いた時にプレーヤ１が把持する本体１００の先端と後端との両端で振幅が生じるため、この振幅によってショットの乱れが生じて第１着地点ｂで比較的広い範囲Ｂのバラツキが発生するとともに、プレーヤ１が本体１００により撞く力を球２に効果的に伝えることができず競技中（特に、ブレイクショット時やジャンプショット時）に安定したショットが望めないという不具合があった。
【０００７】
本発明は上記の点に鑑みなされたもので、その目的は、簡単な構造でキュー本体の両端で生じる振幅とショットのバラツキとを抑え、撞いた力を球に効果的に伝えて安定したショットが望めるビリヤードキューを提供することを目的とする。
【課題を解決するための手段】
【０００８】
本発明は上述の課題を解決するために、バットとシャフトとを接続してなりバットの後端側に第１錘を取り付けてウエイトバランスを調整するビリヤードキューであって、シャフトと、このシャフトに接続して通常のプレイキューより全長を所定量短くするバットと、この短くしたバットに取り付けられて後端の第１錘より前方側に設置する新たな重量調節機構とを備える。
【０００９】
ここで、重量調節機構は、バットを後端の第１錘より前方側で切断し、この分割した一端に雄ネジと他端に雌ネジとを備えて各々螺合して棒状に接続するとともに、雄ネジに少なくとも１つ以上挿入して雌ネジとの螺合により挟侍する第２錘を設けることが好ましい。
【発明の効果】
【００１０】
以上、詳細に説明したように本発明のビリヤードキューによれば、バットを短くしてプレーヤに後端を把持させることで先端と後端との両端で生じる振幅を抑え、且つ、短くしたバットによるキュー全体のウエイトバランスを各プレーヤに合わせて適宜調節できるため、この振幅によるショットの乱れを確実に防止してバラツキを最小に抑えるとともに、プレーヤが本体により撞いた力を球に効果的に伝えることができ競技中（特に、ブレイクショット時やジャンプショット時）に安定したショットが望める。
【発明を実施するための最良の形態】
【００１１】
次に、添付図面を参照して本発明によるビリヤードキューの実施の形態を詳細に説明する。図１は、本発明によるビリヤードキューの第１の実施形態を示した構成図である。また、図２は、図１に示したバット１４を組み立てた状態を示す図である。また、図３は、図１に示したビリヤードキューの特性を示す図である。また、図４は、本発明によるビリヤードキューの第２の実施形態を示した構成図である。また、図５は、図４に示した第２錘６０を詳細に示す図である。また、図６は、本発明によるビリヤードキューの第３の実施形態を示した構成図である。
【００１２】
［実施例１］
図１に示すように、本発明によるビリヤードキューの第１の実施形態は、図７に示した従来技術と同様に、バット１４とシャフト１２との端部を接合部材１６により接合して棒状に形成する本体１０を備え、このバット１４の後端側中心に穴１４ａを穿設し、この穴１４ａ内にウエイトバランスを後端で調節できる第１錘２０を備えている。この第１錘２０は、ネジ形状を有しており、バット１４後端の穴１４ａから挿入して内部に螺合させることで、本体１０全体のウエイト（重心）バランスを調節可能にしている。また、接合部材１６は、バット１４及びシャフト１２を接合するお互いの端部に設けられ、一端（図１ではバット１４側）に雄ネジ１６ａと、他端（図１ではシャフト１２側）に雌ネジ１６ｂとを各々備えている。
【００１３】
ここで、第１の実施形態は、図７に示した従来技術とは異なり、シャフト１４に接続した際に本体１０の全長が通常のプレイキュー（図７参照）よりも所定量短くなるように形成するバット１４（図２参照）を備えるとともに、この短くしたバット１４に取り付けられて後端の第１錘２０より前方側に設置する新たな重量調節機構３０を設けている。
【００１４】
この短いバット１４は、図２に示すように、組み立てた際に、通常のプレイキューに用いる５７〜５８インチのバット（図７参照）に比べて５０〜５６．９インチの短い長さに形成している。そして、このバット１４は、後端に第１錘２０を設けてウエイトバランスを調節しているが、５０〜５６．９インチの短い長さに形成することでシャフト１２と接続した際に本体１０の全重量に対して後端側だけが重くなる後ろバランスの状態になるため、後端の第１錘２０より前方側に重量調節機構３０を設けて調節している。
【００１５】
この重量調節機構３０は、図１に示したように、バット１４を後端の第１錘２０より離間した前方側で切断して２分し、この分割した一端に雄ネジ３２と他端に雌ネジ３４とを備えて各々螺合することで棒状に接続するとともに、この雄ネジ３２に少なくとも１つ以上（図１では３つ）挿入して雌ネジ３４との螺合により挟侍（図２参照）する第２錘３６を設けている。この第２錘３６は、円盤形状でバット１４の雄ネジ３２に挿入する孔３６ａを有してリング状に形成している。即ち、第１の実施形態では、バット１４を短く形成することで変化するウエイト（重心）バランスを第１錘２０と第２錘３６とにより良好に調節できるように形成している。ここで、第１錘２０はネジの長さまたはネジを形成するジュラルミン或いはステンレスなどの材質を変えることで重さを調節し、第２錘３６は雄ネジ３２に挿入する数を適宜増減させることで重さを調節する。この第２錘３６は、好ましくは、バット１４の後端から１５インチ前方までの範囲内に設けることが最も望ましい。また、重量調節機構３０は、図１に示したバット１４を切断した後端側に雄ネジ３２を、前方側に雌ネジ３４を各々設けているが、これに限定されるものではなく、雄ネジ３２と雌ネジ３４とを逆に配置することも可能である。
【００１６】
このように形成された本発明によるビリヤードキューの第１の実施形態を用いて、例えばブレイクショットを行った場合、図３に示すように、プレーヤ１がキュー本体１０により撞いた球２は勢いによって台４上面の球撞点ａから少し浮いた状態で飛び出し、第１着地点ｂ、第２着地点ｃ、及び第３着地点ｄのように数回バウンドしながら狙った的球に向かって撞き出される。ここで、第１の実施形態では、バット１４（図２参照）を短く形成することで、図３に示したようにプレーヤ１が必然的にキュー本体１０の後端（バット１４の後端）側を把持するようになり、球２を撞いた時に図８に示した従来技術でキュー本体の後端に生じていた振幅が確実に抑えられ、同時に先端の振幅もなくなる。また、このような短いバット１４を用いた場合、図１に示した第１錘２０のみでウエイトバランスを調節すると、本体１０の全体重量に対して後端側だけが重く（後ろバランスに）なり、プレーヤ１に合わせた適切な重心調節ができずミスショットの原因になる。そこで、第１の実施形態では、図１に示した第２錘３６を少なくとも１つ以上、バット１４の第１錘２０より前方側に適宜取り付けることで、各プレーヤ１に合わせた良好なウエイト（重心）バランスに調節できるように形成している。
【００１７】
ところで、このような第１の実施形態では、図３に示した球撞点ａにおいてロボットにより同条件で複数回ショット（ブレイクショット）を行った場合、第１着地点ｂで球２の着地点にバラツキが殆んど生じないことが確認できた。詳しく説明すると、まず図３に示したように、台４上面の第１着地点ｂにカーボン紙６を貼設し、このカーボン紙６によりロボットが撞き出した球２の着地痕６ａを検出して着地点でのバラツキを確認した。その結果、本発明によるビリヤードキューの第１の実施形態は、第１着地点ｂにおいて比較的狭い範囲Ａに着地痕６ａが集まることが検出できた。即ち、これはキュー本体１０により球２を撞いた時、図３に示したプレーヤ１が本体１０の後端を把持することで先端と後端との振幅が確実に抑えられ、ショットに乱れがなくなり狙った的球に安定して撞き出せることが分かる。
【００１８】
このように、本発明によるビリヤードキューの第１の実施形態によると、図１及び３に示したように、キュー本体１０（バット１４）を短くする簡単な構造によりプレーヤ１に後端側を把持させることで先端と後端との両端で生じる振幅を抑え、且つ、短くしたバット１４によるキュー全体のウエイトバランスも第１錘２０及び第２錘３６により各プレーヤに合わせて適宜調節できるため、この振幅によるショットの乱れを確実に防止して第１着地点ｂでのバラツキを最小範囲Ａに抑えるとともに、プレーヤ１が本体１０により撞く力を球に効果的に伝えることができ競技中（特に、ブレイクショット時やジャンプショット時）に安定したショットが望める。
【００１９】
［実施例２］
ここで、重量調節機構３０の第２錘３６をバット１４に挟持させて固定する実施の形態を説明したが、これに限定されるものではなく、例えば、本出願人が特願２００４−７７１３５により既に出願した通常の長いプレイキューに用いるバット内で摺動及び固定が可能な摺動式の錘を採用することも可能である。また、これとは別に、本出願人が特願２００３−４１５６５０により既に出願した通常の長いプレイキューに用いるキュー内で螺合させて固定する螺合式の錘も採用可能である。
【００２０】
例えば、前述した摺動式の錘を用いた本発明によるビリヤードキューの第２の実施形態は、図４に示すように、第１の実施形態と同様にバット４４とシャフト４２との端部を雄ネジ４６ａ及び雌ネジ４６ｂからなる接合部材４６により接合して棒状に形成した本体４０を備え、このバット４４の後端に挿入してウエイトバランスを調節する第１錘５０を備えている。また、バット４４は、第１の実施形態と同様にプレーヤが後端側を必然的に把持するように５０〜５６．９インチの短い長さに形成している。
【００２１】
ここで、第２の実施形態は、第１の実施形態とは異なり、バット４４の後端に第１錘５０を螺合して取り付ける穴５２ａを貫通するように設けた筒状の螺合部材５２を備えるとともに、この後端の螺合部材５２から更にバット１４の先端に向かって中心に中空孔４４ａを穿設し、この中空孔４４ａ内に挿入して後端の第１錘５０より前方側で摺動させて固定することで後端側が重くなる後ろバランスを調節する第２錘６０を備えている。即ち、第２の実施形態では、第１実施形態のようにバットを切断して第２錘を挟持させるのではなく、バット４４の中空孔４４ａ内に第２錘６０を収納して所定の位置まで摺動させて固定可能な重量調節機構７０を形成している。
【００２２】
この第２錘６０は、図５に示すように、ネジ６６と、このネジ６６の締結部６６ｂに挿通して終端で頭部６６ａに当接するゴムなどの軟質材からなる圧縮部材６２と、ネジ６６の締結部６６ｂに締結して圧縮部材６２を頭部６６ａ側に指圧して外側に付勢（図５に示した点線）させるナット６４とを備えている。この際、ナット６４と圧縮部材６２とは、外周に各々平坦面Ｃを有してバット４４の中空孔４４ａ内（図４参照）で回転しないように設けてあり、ネジ６６のみが回転して締結するように形成している。このネジ６６は、図示していないが頭部６６ａに六角レンチなどの工具を嵌合させて回すことで所定方向に回転できるように形成している。また、圧縮部材６２は、ネジ６６の頭部６６ａに当接する端部に平坦面Ｃを有したワッシャー６８を介在させて締結時に頭部６６ａとの摩擦で磨耗することを防止している。ここで、第２錘６０は、図４に示したようにバット４４を短くした分の重量を考慮して第１錘５０との釣り合いが取れるように形成（例えば、ネジ６６の長さまたは材質を変えて所定重量に形成）しており、通常の長いプレイキューに用いる摺動式の錘とは大きく異なる。
【００２３】
このように形成した本発明によるビリヤードキューの第２の実施形態は、図４に示したように、バット４４の中空孔４４ａ内に第２錘６０を収納して後端に螺合部材５２を取り付けた状態に予め製造される。そして、第２錘６０は、中空孔４４ａ内で各プレーヤに合った重心位置に摺動させた後、バット４４の後端から螺合部材５２のネジ穴を介して細長い工具を挿入してネジ６６を回転させて固定する。その後、バット４４の後端から第１錘５０を挿入して螺合部材５２に締結することで、短いバット４４をシャフト４２に接合した際にキュー本体１０の後端が重くなる後ろバランス状態を良好に調節できる。
【００２４】
このように本発明によるビリヤードキューの第２の実施形態によると、プレーヤが後端側を把持するようにバット４４を短く形成しているため、第１の実施形態と同様の効果が得られるとともに、このバット４４の中空孔４４ａ内で第２錘６０を摺動させることができ第１の実施形態に比べてより細かいバランス調節が可能になる。
【００２５】
［実施例３］
次に、前述した第２の実施形態において、第１錘５０及び螺合部材５２を削減することで部品点数を減らして第２錘６０のみでウエイトバランスの調節を可能にし、キュー全体の構造を簡略化することも可能である。この場合、第２錘６０が短くしたキュー全体のウエイトバランスを調節しうる重さにすることが重要になる。このように第２錘のみでキュー全体のウエイトバランスを調節可能な本発明によるビリヤードキューの第３の実施形態を、図６を参照して詳細に説明する。
【００２６】
図６に示すように、本発明によるビリヤードキューの第３の実施形態は、バット８４とシャフト８２との端部を雄ネジ８６ａ及び雌ネジ８６ｂからなる接合部材８６により棒状に接合する本体８０を備え、このバット８４の後端側中心に中空孔８４ａを穿設し、この中空孔８４ａ内で摺動して所定位置に固定することでキュー全体におけるウエイトバランスを調整する錘９０を備えている。ここで、バット８４は、第１及び第２の実施形態と同様にプレーヤが後端側を必然的に把持するように５０〜５６．９インチの短い長さに形成している。また、錘９０は、図５に示した第２錘と同様の構造であるが、第１錘がないため、キュー全体のウエイトバランスを調節しうるように第２錘に比べて重く形成している。この錘９０は、ネジ９６の長さまたはネジを形成するジュラルミン或いはステンレスなどの材質を変えることで重さを調節する。
【００２７】
そして、このように形成された本発明によるビリヤードキューの第３の実施形態は、第２の実施形態と同様に、中空孔８４ａ内で錘９０を各プレーヤに合った所定位置に摺動させた後、バット８４の後端から中空孔８４ａ内に六角レンチなどの細長い工具を挿入してネジ９６を回転させることで固定する。これにより、バット８４を短く形成した際、キュー本体８０の後端が重くなる後ろバランス状態を錘９０のみにより良好に調節することが可能になる。
【００２８】
このように本発明によるビリヤードキューの第３の実施形態によると、バット８４を短く形成して、この内部で錘９０を摺動させて後ろバランス状態を調節するため、第２の実施形態と同様の効果を得ることができるとともに、１つの錘９０のみでウエイトバランスを調節することでウエイト調節が容易になり部品点数を削減してキュー全体の構造を簡略化できる。
【００２９】
以上、本発明によるビリヤードキューの実施形態を詳細に説明したが、本発明は前述した実施形態に限定されるものではなく、その要旨を逸脱しない範囲で変更可能である。
例えば、バットの中空孔内に第２錘または錘を１つ設けた第２及び第３の実施形態を詳細に説明したが、これに限定されるものではなく、第２錘または錘を中空孔内に複数個収納することも可能である。
また、バットを１箇所切断して第２錘を設ける第１の実施形態を詳細に説明したが、これに限定されるものではなく、例えば、バットを複数個所切断して第２錘を分散させて挟持することも可能である。
【図面の簡単な説明】
【００３０】
【図１】本発明によるビリヤードキューの第１の実施形態を示した構成図。（実施例１）
【図２】図１に示したバット１４を組み立てた状態を示す図。
【図３】図１に示したビリヤードキューの特性を示す図。
【図４】本発明によるビリヤードキューの第２の実施形態を示した構成図。（実施例２）
【図５】図４に示した第２錘を詳細に示す図。
【図６】本発明によるビリヤードキューの第３の実施形態を示した構成図。（実施例３）
【図７】従来のビリヤードキューを示す構成図。
【図８】図７に示したビリヤードキューの特性を示す図。
【符号の説明】
【００３１】
１０    本体
１２    シャフト
１４    バット
１４ａ  穴
１６    接合部材
１６ａ  雄ネジ
１６ｂ  雌ネジ
２０    第１錘
３０    重量調節機構
３２    雄ネジ
３４    雌ネジ
３６    第２錘
３６ａ  孔
【図１】
2005287560.tif 000003
【図２】
2005287560.tif 000004
【図３】
2005287560.tif 000005
【図４】
2005287560.tif 000006
【図５】
2005287560.tif 000007
【図６】
2005287560.tif 000008
【図７】
2005287560.tif 000009
【図８】
2005287560.tif 000010